(57)【要約】【課題】  ズボンの脚部長さを無段階で、スピーディかつスムースに調節することができるようにする。【解決手段】  ズボンを構成する脚部を膝付近で上布１と下布２とに分離し、この上布１と下布２との間に中間布３を設け、この中間布３を伸縮させて長さを調節して脚部の長さを調節するようにしたズボンにおいて、中間布３の筒状の円周をほぼ２等分した位置の上布１の下端と下布２の上端とに固着された少なくとも２ヶ所に紐１１の上下端を固着し、この紐１１の中間部を調節用Ｕ字部１１ａとし、この調節用Ｕ字部１１ａに紐１１の外部への引き出し量を調節するストッパ１２を取り付けた。【選択図】  図１
0003107086.tif 000002
【実用新案登録請求の範囲】
【請求項１】
ズボンを構成する脚部を膝付近で上布と下布とに分離し、この上布と下布との間に中間布を設け、この中間布を伸縮させて長さを調節して脚部の長さを調節するようにしたズボンにおいて、
前記中間布の筒状の円周をほぼ２等分した位置の上布下端と下布上端とに固着された少なくとも２ヶ所に紐の上下端を固着し、
この紐の中間部を調節用Ｕ字部とし、
この調節用Ｕ字部に紐の外部への引き出し量を調節するストッパを取り付けたことを特徴とするズボン。
【請求項２】
ズボンを構成する脚部を膝付近で上布と下布とに分離し、この上布と下布との間に中間布を設け、この中間布を伸縮させて長さを調節して脚部の長さを調節するようにしたズボンにおいて、
前記中間布の筒状の円周をほぼ２等分した少なくとも２ヶ所の位置に上下方向に亘って袋状布を取り付け、
この袋状布のトンネル内部に、この袋状布が上布と下布とに固着された個所でその上下端が固着された紐を通し、
この紐の中間部を袋状布に形成された１ヶ所の切込みから外部へ引き出して調節用Ｕ字部とし、
この調節用Ｕ字部に紐の外部への引き出し量を調節するストッパを取り付けたことを特徴とするズボン。
【請求項３】
前記切込みを袋状布の中央部分に２ヶ所形成したことを特徴とする請求項２に記載のズボン。
【請求項４】
前記中間布がメッシュ布であり、上下の長さが８〜２０ｃｍの範囲内にあることを特徴とする請求項１ないし３のいずれか１項に記載のズボン。
【請求項５】
前記紐がゴム紐であることを特徴とする請求項１ないし４のいずれか１項に記載のズボン。
【請求項６】
前記ストッパとしては、ともに紐通し孔が形成された外筒と挿入部材とを有し、外筒に挿入され常に一方向に付勢されて外筒の紐通し孔と合致しない位置に紐通し孔を位置させる挿入部材を付勢方向と反対方向に押し込んで互いの紐通し孔を合致させて紐の調節用Ｕ字部を挿通させる構造のものを用いたことを特徴とする請求項１ないし５のいずれか１項に記載のズボン。
【請求項７】
前記少なくとも２つの調節用Ｕ字部の取付位置は、ズボン着用時の人体前面側両脇に位置することを特徴とする請求項１ないし６のいずれか１項に記載のズボン。
【請求項８】
前記中間布を覆い隠すオーバ布の上端を中間布上側位置に取り付けてあることを特徴とする請求項１ないし７のいずれか１項に記載のズボン。
【請求項９】
前記ズボンは雨天用ゴルフズボンまたはテニス用ズボンであることを特徴とする請求項１ないし８のいずれか１項に記載のズボン。
【考案の詳細な説明】
【技術分野】
【０００１】
本考案は、脚部の長さを調節できるようにしたズボン、特に、例えばゴルファーが着用して好適な雨天用オーバズボンに関するものである。
【背景技術】
【０００２】
ゴルファーは雨天時にもプレーをする場合が多く、その場合には、所謂レインズボンをオーバズボンとして重ね着をしているが、夏季等の暑い場合にはズボンを着用せずに直接的に着る場合もある。また、雨天に限らず、風がきつい場合にはウインドブレーカー用のズボン、寒冷地では防寒用のズボンとして着用する場合もある。
【０００３】
一般的に、既製のズボンは胴回りが大きいものは股下長さが長く、胴回りが小さいものは股下長さが短くなっている。しかしながら、胴回りが大きいが股下長さが短い体型の人もかなりあり、逆に、胴回りは小さいが股下長さが長い人もいる。通常の布製のズボンの場合、着用者の胴回りに合わせてズボンを選択し、股下長さは調整できるようにされているため、ズボンの裾を股下長さに応じて切断して裾上げ等の縫製をやり直して、身体にあったズボンとすることができる。
【０００４】
しかしながら、ナイロン、テトロン等の防水性素材からなる雨天用ズボンやオーバズボンでは、ズボンの裾も縫製されて、Ｓ、Ｍ、Ｌ、ＬＬのサイズ別の製品となっている。サイズ別では、胴回りが小さいと股下が短くなり、胴回りが大きいと股下が長くなっている。さらに、雨天用ズボン、オーバズボンでは、地面や芝からの浸水を防止するために、ズボンの裾から僅かに上の部分に、絞りを設けると共にバンドを取り付けて縛り、足回りにぴったりとフィットさせるようにされている。
【０００５】
このように、従来の雨天用ズボンあるいはオーバズボンでは股下長さを体格に合わせて調整することが、ユーザーにとって困難となっている。そのため、胴回りに合わせてＬ、ＬＬ等のサイズを選択すると、股下が長くなり、ズボンの裾を引きずり、かえって水が付きやすくなり、かつ、着用感が悪いために、ゴルフのプレーにも悪影響を及ぼすこととなる。
【０００６】
そこで、股下調節機能を備えると共に、屈伸運動の激しい膝部分の通風性も兼ね備え、特に、ゴルファーに好適に着用できる雨天用のズボンが開発された。これは、ズボンを構成する本体布の脚部を膝付近で上下布に分離し、下布の上端と上布の下端から所要寸法位置の間に通風材（メッシュ材）を介在させ、上布は通風材および下布の上部をカバーすると共に下端は開放し、かつ、上記通風材の介在位置で、上布の裏面側から股下長さ調節用のベルト布を周方向に間隔をあけて垂下させる一方、該ベルト布の所要位置に固着する止具を下布の上端に取り付けたものである（特許文献１参照）。
【特許文献１】特許第３４６９１１２号公報（第４頁、図３（Ａ）（Ｂ））
【考案の開示】
【考案が解決しようとする課題】
【０００７】
特許文献１に記載のものでは、ベルト布に３個のボタンホールがあり、いずれかのボタンホールにボタンを取り付けることで脚部の長さ調節を図っているので、ボタンホールの数だけの調節（この例では３段階）しかできず、無段階の長さ調節を図ることはできなかった。また、ボタンをボタンホールに差し込むという操作は、雨の中では面倒であり、スムースかつスピーディに行うのは難しかった。
【０００８】
そこで、本考案は、脚部の長さを無段階にきめ細かく調節することができ、しかも調節操作も簡単かつスピーディに行えるようにすることを目的とする。
【課題を解決するための手段】
【０００９】
上述の目的を達成するため、本考案は、ズボンを構成する脚部を膝付近で上布と下布とに分離し、この上布と下布との間に中間布を設け、この中間布を伸縮させて長さを調節して脚部の長さを調節するようにしたズボンにおいて、前記中間布の筒状の円周をほぼ２等分した位置の上布下端と下布上端とに固着された少なくとも２ヶ所に紐の上下端を固着し、この紐の中間部を調節用Ｕ字部とし、この調節用Ｕ字部に紐の外部への引き出し量を調節するストッパを取り付けたものである。
【考案の効果】
【００１０】
本考案は、ズボンを構成する脚部を膝付近で上布と下布とに分離し、この上布と下布との間に中間布を設け、この中間布を伸縮させて長さを調節して脚部の長さを調節するようにしたズボンにおいて、前記中間布の筒状の円周をほぼ２等分した位置の上布下端と下布上端とに固着された少なくとも２ヶ所に紐の上下端を固着し、この紐の中間部を調節用Ｕ字部とし、この調節用Ｕ字部に紐の外部への引き出し量を調節するストッパを取り付けたので、紐の外部への引き出し量に応じて中間布の長さを無段階に調節することができるので、あらゆる人の脚の長さに正確に対応できる。また、紐の外部への引き出し量は、調節用Ｕ字部をストッパからどれだけ引き出すかで調節でき、ストッパの操作はボタンのボタンホールへの係脱に比べてスムースかつスピーディに行える。特に、ストッパとして、ともに紐通し孔が形成された外筒と挿入部材とを有し、外筒に挿入され常に一方向に付勢されて外筒の紐通し孔と合致しない位置に紐通し孔を位置させる挿入部材を付勢方向と反対方向に押し込んで互いの紐通し孔を合致させて紐の調節用Ｕ字部を挿通させる構造のものを用いたものにあっては、挿入部材を押し込んで紐の引き出し量を調節したら、挿入部材の押し込みを解除するだけで紐の位置決めロックが図れ、きわめて操作性が良い。また、紐としてゴム紐を用いれば、紐の引き出し量を減らすときに、ゴム紐の引張力で元に戻り、操作性が良くなる。さらに、紐の引き出しは、紐の中間部を切込みから引き出しているため、中間布の上下を均等にたぐり寄せることができ、上下いずれかのみをたぐり寄せるよりもスムースにかつスピーディに中間布の長さを短くすることができる。
【考案を実施するための最良の形態】
【００１１】
以下に本考案の実施形態について、図面を参照にして説明する。
【００１２】
図１は、ズボンの全体正面図であり、脚部を膝付近で上布１と下布２とに分離し、この上布１と下布２との間に中間布３を設け、この中間布３を覆い隠すオーバ布４をめくり上げて中間布３が見えるようにした状態を示す。前記中間布３を除くズボンの表面全体は、通風性及び浸水性のないナイロン、テトロン、ポリエステルなどの素材を用い、裏面をウレタンコーティング、ウレタンラミネート、アクリルコーティング等で防水加工を施すことが好ましい。このズボンの胴回り部分には、ゴム帯５を取り付け、広い範囲のウエストサイズに対応できるようにしてある。また、裾部６は着用者の足首部分でしぼれる構成となっている。この裾部６の外側から上方に向けて切開部７を形成し、この切開部７を開閉するファスナー８を取り付けてある。前記中間布３はメッシュ布で形成してあり、この中間布３の筒状の円周をほぼ２等分した位置の上布１の下端と下布２の上端とに固着（縫着）された個所に紐１１の上下端を固着してある。この紐１１の中間部を調節用Ｕ字部１１ａに形成してある。この調節用Ｕ字部１１ａにストッパ１２を取り付けてあり、このストッパ１２で紐１１の引き出し量を調節して中間布３の伸縮を図る。
【００１３】
図１の実施形態では、紐１１をメッシュ布からなる中間布３の中間部に調節用Ｕ字部１１ａを形成した例を示したが、図２では、中間布３の筒状の円周をほぼ２等分した少なくとも２ヶ所の位置に上下方向に亘って袋状布１０を取り付け、この袋状布１０のトンネル内部に、この袋状布１０が上布１と下布２とに固着された個所でその上下端が固着された紐１１を通し、この紐１１の中間部を袋状布１０に形成された１ヶ所の切込み１４から外部へ引き出した例を示す。この紐１１の外部へ引き出された調節用Ｕ字部１１ａにはストッパ１２を取り付けてある。
【００１４】
図３は、オーバ布４で中間布３を覆い隠した状態の正面図であり、図４はこのズボンの背面図であり、後ポケット９を取り付けてある。前記裾部６は、袋状に縫着し、内部に紐を通して、外に出た紐で裾をしぼるようにしても良いし、布ファスナーを取り付けておき、裾をしぼるようにすることもできる。
【００１５】
前記中間布３の変形例としては、図５及び図６に示すように、正面の左右両脇に袋状布１０が取り付けられており、この袋状布１０のトンネル内部に紐１１を挿入してあり、この紐１１の上下端は、止着部１３で縫着されている。トンネル内部の紐１１は、２ヶ所の切込み１４から外部へ引き出されて調節用Ｕ字部１１ａを形成する。図２では、切込み１４を１ヶ所としたのに対し、この例では２ヶ所とした。この調節用Ｕ字部１１ａにストッパ１２を取り付けてある。このストッパ１２は、紐１１の外部への引き出し量を調節するものである。調節用Ｕ字部１１ａの露出量が多いと、中間布３の上下の長さが縮小され（短くされ）、ズボンの脚部が短くなる。ズボンの脚部を長くする場合には、ストッパ１２による紐１１のロックを解除して袋状布１０のトンネル内部へ紐１１を戻してやれば良い。
【００１６】
前記中間布３としては、従来と同様に柔らかく通風性の良いメッシュ布を用い、膝の屈伸、ひねりなどの運動を妨げず、プレー時に発汗し易い膝部分の通風性を高めるようにする。また、このメッシュ布から成る中間布３の上下の長さは、８〜２０ｃｍの長さが好ましい。８ｃｍ未満だと長さ調節の範囲が不十分であり、２０ｃｍを超えると調節範囲は十分であっても、ズボンとしての強度や見映えの面で問題が生じる。好ましくは９〜１５ｃｍである。また、この中間布３に通常縫着されて取り付けられる袋状布１０は、中間布３の筒状の円周をほぼ２等分した少なくとも２ヶ所の位置に上下方向に亘って取り付けられるのが好適であるが、３ヶ所以上（最大４ヶ所程度）取り付けても良い。この袋状布１０には、紐１１とストッパ１２とを設けて、中間布３の上下の伸縮（長短）を図り、その結果ズボンの脚部の長さを調節するものであるから、数が多すぎても操作が面倒となり、１ヶ所では脚部全体が均等に伸縮（長くする、短くする）できないので、袋状布の取付位置は、ズボン着用時の人体前面側両脇に位置するものが、操作性が良く、短くする場合でも裾部６の全周が均等に上昇する。
【００１７】
図７及び図８は、ストッパ１２の断面を示し、外筒１５に紐通し孔１５ａが形成され、この外筒１５の内部に挿入される挿入部材１６にも紐通し孔１６ａが形成され、挿入部材１６は、バネ１７により常に一方向（図面上上方）に付勢されている。バネ１７で付勢された挿入部材１６は紐１１が挿通されているので外筒１５から抜け出ないようになっている。挿入部材１６の頭部１６ｂを外筒１５内へ押し込んで紐通し孔１５ａ，１６ａを合致させ、この合致状態で紐１１の引き出し量を調節する。この紐１１がゴム紐であれば、引き出し量を多くした後に紐１１を袋状布１０へ戻すときは、ゴムの引張力でスピーディに戻すことができる。なお、このストッパ１２の構造は、図１及び図２で用いられるストッパ１２も同様の構造となっている。
【００１８】
図９及び図１０は、ズボン脚部の長さを短くした状態、すなわち中間布３の長さを短くするように紐１１の袋状布１０からの引き出し量を増やした状態を示すものである。
【００１９】
図１１及び図１２は、ズボンの側面と前述した裾部６の切開部７とファスナー８を詳細に示すものである。オーバズボンとして用いるときに、ファスナー８を開いて、切開部７を開放しておけば、ゴルフシューズを履いたままこのズボンを履き易くなる。
用途としては雨天用ゴルフズボンの他にテニス用ズボンも考えられる。
【図面の簡単な説明】
【００２０】
【図１】オーバ布をめくり上げた正面図。
【図２】中間布部分の変形例を示す拡大正面図。
【図３】正面図。
【図４】背面図。
【図５】中間布部分の別の変形例を示す拡大正面図。
【図６】中間布を示す正面図。
【図７】ロック解除時のストッパの断面図。
【図８】ロック状態のストッパの断面図。
【図９】中間布の長さを短くした状態の正面図。
【図１０】中間布を最も短くした状態の上下布を含む正面図。
【図１１】ズボンの側面図。
【図１２】図１０の裾部の部分図。
【符号の説明】
【００２１】
１    上布
２    下布
３    中間布
１０  袋状布
１１  紐
１１ａ  調節用Ｕ字部
１２  ストッパ
１４  切込み
【図１】
0003107086.tif 000003
【図２】
0003107086.tif 000004
【図３】
0003107086.tif 000005
【図４】
0003107086.tif 000006
【図５】
0003107086.tif 000007
【図６】
0003107086.tif 000008
【図７】
0003107086.tif 000009
【図８】
0003107086.tif 000010
【図９】
0003107086.tif 000011
【図１０】
0003107086.tif 000012
【図１１】
0003107086.tif 000013
【図１２】
0003107086.tif 000014